(57)【要約】【課題】ＯＳＤ及びＯＳＤに基づく画像が重ならないようにＯＳＤ信号が生成されるＯＳＤ信号処理装置、ＡＶ装置、映像表示システム、及びＯＳＤ表示方法を提供する。【解決手段】映像表示システム１の第１レコーダ３の制御部３６は、接続されたＴＶ受像機が表示するＯＳＤ（１）の位置・色情報を取得して、記憶部４０に記録する。制御部３６は、ＯＳＤ（２）の表示が要求された場合、ＯＳＤ（１）とＯＳＤ（２）とが重なるか否か、色が一致又は近似するか否かを判定し、重なる、又は色が一致若しくは近似すると判定した場合、ＯＳＤ（２）の位置又は色情報を変更する。記憶部４０から読み出されたＯＳＤ（２）の画像情報はＯＳＤ信号生成部４１へ出力され、生成されたＯＳＤ信号は合成部４２へ出力され、映像信号と合成されて得られた信号がＴＶ受像機へ出力される。ＴＶ受像機の表示部でＯＳＤ（１）と重ならない状態で、ＯＳＤ（２）が表示される。【選択図】図２
2010164901.tif 000002
【特許請求の範囲】
【請求項１】
一のＯＳＤの情報と該ＯＳＤの表示に関連する一の属性情報とに基づき一のＯＳＤ信号を生成し、生成したＯＳＤ信号を出力するＯＳＤ信号処理装置において、
他のＯＳＤ信号処理装置の他のＯＳＤの表示に関連する属性情報を取得する情報取得手段と、
前記一及び他の属性情報が一致又は近似するか否かを判定する判定手段と、
該判定手段により前記属性情報が一致又は近似すると判定した場合に、前記一の属性情報を変更する情報変更手段と、
該情報変更手段により変更した属性情報に基づき、前記一のＯＳＤ信号を生成する手段と
を備えることを特徴とするＯＳＤ信号処理装置。
【請求項２】
前記属性情報は、表示位置情報、色情報、重要度情報、及び表示のタイミング情報からなる群から選択される少なくとも１種の情報であることを特徴とする請求項１に記載のＯＳＤ信号処理装置。
【請求項３】
前記情報取得手段は、他の表示位置情報を取得し、
前記情報変更手段は、前記一のＯＳＤの表示位置を変位するように一の表示位置情報を変更すべく構成してあることを特徴とする請求項２に記載のＯＳＤ信号処理装置。
【請求項４】
前記情報取得手段は、他の表示位置情報を取得し、
前記情報変更手段は、前記一のＯＳＤを小さくするように前記一の表示位置情報を変更すべく構成してあることを特徴とする請求項２に記載のＯＳＤ信号処理装置。
【請求項５】
前記情報取得手段は、他の表示位置情報とともに他の色情報を取得し、
前記判定手段は、前記一及び他のＯＳＤの色が一致又は近似するか否かを判定し、
前記情報変更手段は、前記判定手段により前記色が一致又は近似すると判定した場合に、前記一の色情報を変更するように構成してあることを特徴とする請求項３又は４に記載のＯＳＤ信号処理装置。
【請求項６】
属性情報を他のＯＳＤ信号処理装置へ出力する出力手段を備えることを特徴とする請求項１から５までのいずれか１つに記載のＯＳＤ信号処理装置。
【請求項７】
装置を識別するための補助ＯＳＤをＯＳＤに付加するように構成してあることを特徴とする請求項１から６までのいずれか１つに記載のＯＳＤ信号処理装置。
【請求項８】
他の装置を識別するための補助ＯＳＤを他のＯＳＤに付加するように構成してあることを特徴とする請求項１から７までのいずれか１つに記載のＯＳＤ信号処理装置。
【請求項９】
請求項１から８までのいずれか１つに記載のＯＳＤ信号処理装置を備えることを特徴とするＡＶ装置。
【請求項１０】
請求項１から８までのいずれか１つに記載の複数のＯＳＤ信号処理装置と、
映像、ＯＳＤ、及びＯＳＤに基づく画像を表示する表示部を有するテレビジョン受像機と、
１又は複数のＡＶ装置と
を備え、
前記ＯＳＤ信号処理装置は前記テレビジョン受像機及びＡＶ装置に各別に内蔵され、各ＯＳＤ信号処理装置が生成したＯＳＤ信号を前記表示部へ出力するように構成されていることを特徴とする映像表示システム。
【請求項１１】
前記ＡＶ装置は前記テレビジョン受像機に内蔵されていることを特徴とする請求項１０に記載の映像表示システム。
【請求項１２】
ＯＳＤの情報と該ＯＳＤの表示に関連する属性情報とに基づき生成されたＯＳＤ信号を複数のＯＳＤ信号処理装置から取得し、取得したＯＳＤ信号に基づく画像を表示装置に表示するＯＳＤ表示方法において、
複数のＯＳＤ信号処理装置から各ＯＳＤの表示に関連する各属性情報を取得する情報取得ステップと、
取得した各属性情報を用いて、各属性情報が一致又は近似するか否かを判定する判定ステップと、
該判定ステップにより各属性情報が一致又近似すると判定した場合に、少なくとも１つの属性情報を変更する情報変更ステップと、
該情報変更ステップにより変更した属性情報に基づき、ＯＳＤ信号を生成するステップと
を有することを特徴とするＯＳＤ表示方法。
【請求項１３】
前記属性情報は、表示位置情報、色情報、重要度情報、及び表示のタイミング情報からなる群から選択される少なくとも１種の情報であることを特徴とする請求項１２に記載のＯＳＤ表示方法。
【請求項１４】
前記情報取得ステップは、各表示位置情報を取得し、
前記情報変更ステップは、少なくとも１つのＯＳＤの表示位置を変位するように表示位置情報を変更すべく構成してあることを特徴とする請求項１３に記載のＯＳＤ表示方法。
【請求項１５】
前記情報取得ステップは、各表示位置情報を取得し、
前記情報変更ステップは、少なくとも１つのＯＳＤを小さくするように表示位置情報を変更すべく構成してあることを特徴とする請求項１３に記載のＯＳＤ表示方法。
【請求項１６】
前記情報取得ステップは、各表示位置情報とともに各色情報を取得し、
前記判定ステップは、各ＯＳＤの色が一致又は近似するか否かを判定し、
前記情報変更ステップは、前記色が一致又は近似すると判定した場合に、少なくとも１つの色情報を変更するように構成してあることを特徴とする請求項１４又は１５に記載のＯＳＤ表示方法。
【発明の詳細な説明】
【技術分野】
【０００１】
本発明は、ＯＳＤ信号を生成して出力するＯＳＤ信号処理装置、該ＯＳＤ信号処理装置を備えるＡＶ装置及び映像表示システム、並びにＯＳＤを表示するためのＯＳＤ表示方法に関する。
【背景技術】
【０００２】
近年、表示画面上に任意の文字及び記号等を表示するＯＳＤ(On Screen Display)機能を有するテレビジョン受像機（以下、ＴＶ受像機という）等の映像表示装置が種々開発されている。ＴＶ受像機はＯＳＤ信号処理装置を内蔵しており、該ＯＳＤ信号処理装置が生成したＯＳＤ信号と、該ＯＳＤ信号処理装置へ入力された映像信号とがスイッチング切り替えされて表示部へ出力されることにより、該表示部の表示画面においてＯＳＤが表示される。
ＯＳＤ機能を搭載したＴＶ受像機においては、ＴＶ受像機本体には上下ボタン、選択ボタン、決定ボタン等、数個の数値ボタンのみ設けておき、表示画面に表れるＯＳＤに対応するボタンを操作して各種の設定及び調整を行う。これにより、ＴＶ受像機の部品点数を減らしてコストを削減できるとともに、ＴＶ受像機の大きな画面で設定するので、入力周波数、色温度調整等の複雑な操作も行うことが可能になった。
【０００３】
ＴＶ受像機に例えばＨＤＤ(Hard Disk Drive)、ＤＶＤ（Digital Versatile Disc）レコーダ、ＢＤ（Blu-ray Disc）レコーダ等の録画／再生装置を含むＡＶ装置が接続されている場合、ＡＶ装置の録画予約、及び各種の設定もＯＳＤに基づいて行うことができる。ＡＶ装置はＯＳＤ信号処理装置を内蔵しており、該ＯＳＤ信号処理装置が生成したＯＳＤ信号が、該ＯＳＤ信号処理装置へ入力された映像信号に重畳されてＴＶ受像機の表示部へ出力されることにより、該表示部の表示画面において、ＯＳＤに基づく画像が表示される。
ところが、ＴＶ受像機に複数の再生装置、録画装置、録画／再生装置等を接続している場合、ＴＶ受像機が生成したＯＳＤと、再生装置等のＯＳＤを含む画像とが重なって、見にくくなることがある。
【０００４】
図１３は、従来の録画／再生装置が接続されたＴＶ受像機の表示部８２の表示画面を示す説明図である。
表示画面には、録画／再生装置が再生した映像８２０が表示されており、映像８２０には録画／再生装置が生成したＯＳＤに基づく画像８２１が表示され、大部分が画像８２１に重なる状態で、ＴＶ受像機が生成したＯＳＤ８２２が表示されている。この場合、画像８２１の「番組内容」の大半がＯＳＤ８２２の下に隠れており、視認できない状態となっている。
【０００５】
そして、ＴＶ受像機のＯＳＤによる警告と録画／再生装置からのＯＳＤに基づく画像による警告とが同時に表示されたとき、いずれの機器による警告か分からない等の問題があった。
【０００６】
また、ＤＶＤ内蔵ＴＶ受像機、ＢＤレコーダ内蔵ＴＶ受像機等、ＴＶ受像機と録画／再生装置とが一体化した複合機は、ＴＶ受像機本体及び録画／再生装置がそれぞれの制御部により動作を制御される、所謂アドオン型として構成される場合が多い。さらに、複合機に限らず、放送方式及び付加機能等の仕様の異なる地域に商品を効率的に供給するため、例えば、ＴＶ受像機のメイン基板にはアナログチューナユニットまでを組み込んでおき、放送方式の異なる地域毎に、デジタルチューナを含むチューナユニットを別基板でアドオンにより組み込んで生産し、全世界に供給する場合もある。この場合、前記録画／再生装置の場合と同様、チューナユニットは単独でＯＳＤ信号を出力する。
これらアドオン型の場合、アドオンする録画／再生装置及びチューナユニット（以下、アドオンユニットという）はＴＶ受像機とは別会社により製造されることもあり、ＴＶ受像機本体のＯＳＤとアドオンユニットのＯＳＤを含む画像とが、いずれも表示画面の右上に重なった状態で表示されることがある等の問題があった。この場合、アドオンユニットの操作ができなくなることや誤った操作をすることがある。
【０００７】
上述の問題を解決するために、従来、ＯＳＤの色をＴＶ受像機、録画／再生装置等のＡＶ機器毎に設定して区別する方法がある。しかし、この方法では、ユーザが予めＴＶ受像機、ＡＶ機器毎に色を設定しておかなければならい。また、ＥＰＧ（電子番組表）において「ＴＶ」、「Ｒｅｃｏｒｄｅｒ」等という表示を行う方法もあるが、特定のＯＳＤに基づく画像にのみ表示される、ＴＶに接続機器が一台もない状態でも「ＴＶ」という必要のない情報が表示される、同種のＡＶ機器を複数接続している場合にはいずれのＡＶ機器に基づくＯＳＤか区別がつかない等という問題があった。
【０００８】
特許文献１には、映像及びＯＳＤの色情報並びに輝度情報を取得し、一致又は近似している場合、前記ＯＳＤの色相及び輝度を変更する、映像が赤色のとき、前記ＯＳＤを緑色とするように互いに補色の関係となるように色相を変更する、及び前記ＯＳＤの表示位置を変更する、前記ＯＳＤの表示を取り止める、のうちのいずれかの処理を行うように構成されたＯＳＤ機能搭載装置の発明が開示されている。
特許文献２には、静止画像とＯＳＤとが重なって表示される場合、ＯＳＤを透過表示する、点滅表示する、画面の上下左右に移動させる等して、映像が隠れ、認識できなくなる状態を回避するように構成されたデジタル放送受信装置の発明が開示されている。
【０００９】
特許文献３には、再生装置付映像機器（プレーヤー内蔵ＴＶ)の再生装置及び映像機器の両方のＯＳＤを同様の画質で表示するように構成したものが開示されている。
特許文献４には、複数のＡＶ機器が接続されている場合に、自機のＯＳＤ表示設定に基づいて他のＡＶ機器のＯＳＤ表示設定を自動的に一度で行うように構成された映像処理装置の発明が開示されている。
特許文献５には、ＡＶ機器を外部接続した場合に、相手機器がＯＳＤ表示を行っているか否かをＡＶ／Ｃコマンドで取得して、外部接続したＡＶ機器とＴＶのＯＳＤ表示が重なっている場合には、いずれか一方のＯＳＤ表示を行う映像処理装置の発明が開示されている。
【先行技術文献】
【特許文献】
【００１０】
【特許文献１】特開２００５−１１００８１号公報
【特許文献２】特開２００４−３２８５０４号公報
【特許文献３】特開２００６−１３５８５１号公報
【特許文献４】国際公開第２００８／０１３１３１号パンフレット
【特許文献５】特開２００２−１０８３２６号公報
【発明の概要】
【発明が解決しようとする課題】
【００１１】
しかし、特許文献１に記載の発明は、ＯＳＤを重畳しようとする画面位置上の映像の色情報及び輝度情報を取得して表示位置変更、ＯＳＤの表示停止等を行うものであり、ＯＳＤ及びＯＳＤに基づく画像が重なったときに生じる問題は解決されていなかった。
特許文献２に記載の発明は、静止画像にＯＳＤを重畳する場合に、一律にＯＳＤの透過度等を変更するものであり、ユーザが意図しない画質で表示されることがあるという問題があった。
【００１２】
特許文献３に記載の発明は、機器にアドオン型の機器を内蔵した場合のＯＳＤの表示品質を保持するための技術であり、内蔵のＡＶ機器からＯＳＤ信号を取得する場合にＯＳＤに基づく画像が重なったときに生じる問題は解決されていなかった。
特許文献４には、ＯＳＤ表示設定データ（言語、枠の大きさ、枠の色、文字・記号等の種類、大きさ、色）に基づき、各ＯＳＤを同一、又は異ならせる点について開示されているが、ＯＳＤの配置をどのようにするかについては開示されていない。
特許文献５の映像処理装置によれば、特定のコマンドで接続機器のＯＳＤ信号を検出して、表示態様を変更することができるが、ＯＳＤを非表示にするにとどまり、ＯＳＤとＯＳＤに基づく画像とが重ならないように表示することはできないという問題があった。
【００１３】
本発明は斯かる事情に鑑みてなされたものであり、ＯＳＤ及びＯＳＤに基づく画像が重ならないようにＯＳＤ信号が生成され、ＯＳＤ及びＯＳＤに基づく画像が良好に視認され得るＯＳＤ信号処理装置、ＡＶ装置、映像表示システム、及びＯＳＤ表示方法を提供することを目的とする。
【課題を解決するための手段】
【００１４】
本発明に係るＯＳＤ信号処理装置は、一のＯＳＤの情報と該ＯＳＤの表示に関連する一の属性情報とに基づき一のＯＳＤ信号を生成し、生成したＯＳＤ信号を出力するＯＳＤ信号処理装置において、他のＯＳＤ信号処理装置の他のＯＳＤの表示に関連する属性情報を取得する情報取得手段と、前記一及び他の属性情報が一致又は近似するか否かを判定する判定手段と、該判定手段により前記属性情報が一致又は近似すると判定した場合に、前記一の属性情報を変更する情報変更手段と、該情報変更手段により変更した属性情報に基づき、前記一のＯＳＤ信号を生成する手段とを備えることを特徴とする。
【００１５】
ここで、ＯＳＤの情報とは文字、記号、図形等に係るキャラクタ情報等をいい、ＯＳＤの表示に関連する属性情報とは、表示位置情報、色情報、重要度情報、表示のタイミング情報、文字サイズ、フォント、縁取り等の情報をいう。
本発明においては、他のＯＳＤ信号処理装置が生成するＯＳＤ、及び自機のＯＳＤの表示位置等の属性情報が一致又は近似しないようにＯＳＤ信号を生成することができる。従って、映像の表示画面において、ＯＳＤ及びＯＳＤに基づく画像が良好に視認される。
【００１６】
本発明に係るＯＳＤ信号処理装置は、前記属性情報は、表示位置情報、色情報、重要度情報、及び表示のタイミング情報からなる群から選択される少なくとも１種の情報であることを特徴とする。
【００１７】
ここで、重要度情報とは重要度の高低をいい、重要度が低い場合は、該重要度情報に基づいて、他のＯＳＤ又はＯＳＤに基づく画像の表示が消去されてから表示する等の処理を行い得る。表示のタイミング情報は、表示のタイミングについての情報であり、該情報に基づいて、ＯＳＤ又はＯＳＤに基づく画像の表示が消去されてから表示する等の処理を行い得る。
本発明においては、自機のＯＳＤが他のＯＳＤと表示位置等において重ならないように、ＯＳＤ信号を生成することができる。従って、映像の表示画面において、ＯＳＤ及びＯＳＤに基づく画像が良好に視認され、識別される。
【００１８】
本発明に係るＯＳＤ信号処理装置は、前記情報取得手段は、他の表示位置情報を取得し、前記情報変更手段は、前記一のＯＳＤの表示位置を変位するように一の表示位置情報を変更すべく構成してあることを特徴とする。
【００１９】
本発明においては、各ＯＳＤの大きさを維持した状態で、ＯＳＤが重ならないように、ＯＳＤ信号を生成することができる。
【００２０】
本発明に係るＯＳＤ信号処理装置は、前記情報取得手段は、他の表示位置情報を取得し、前記情報変更手段は、前記一のＯＳＤを小さくするように前記一の表示位置情報を変更すべく構成してあることを特徴とする。
【００２１】
本発明においては、配置を大きく変えず、ＯＳＤが重ならないように、ＯＳＤ信号を生成することができる。
【００２２】
本発明に係るＯＳＤ信号処理装置は、前記情報取得手段は、他の表示位置情報とともに他の色情報を取得し、前記判定手段は、前記一及び他のＯＳＤの色が一致又は近似するか否かを判定し、前記情報変更手段は、前記判定手段により前記色が一致又は近似すると判定した場合に、前記一の色情報を変更するように構成してあることを特徴とする。
【００２３】
本発明においては、色情報を変更することで、映像の表示画面において、ＯＳＤ及びＯＳＤに基づく画像が良好に識別され得る。
【００２４】
本発明に係るＯＳＤ信号処理装置は、属性情報を他のＯＳＤ信号処理装置へ出力する出力手段を備えることを特徴とする。
【００２５】
本発明においては、他のＯＳＤ信号処理装置において、一のＯＳＤの属性情報と異なるように、他のＯＳＤの属性情報を変更することができる。
【００２６】
本発明に係るＯＳＤ信号処理装置は、装置を識別するための補助ＯＳＤをＯＳＤに付加するように構成してあることを特徴とする。
【００２７】
本発明においては、映像の表示画面において、ＯＳＤ及びＯＳＤに基づく画像が良好に識別され得る。
【００２８】
本発明に係るＯＳＤ信号処理装置は、他の装置を識別するための補助ＯＳＤを他のＯＳＤに付加するように構成してあることを特徴とする。
【００２９】
本発明においては、映像の表示画面において、ＯＳＤ及びＯＳＤに基づく画像が良好に識別され得る。
【００３０】
本発明に係るＡＶ装置は、前述のＯＳＤ信号処理装置を備えることを特徴とする。
【００３１】
本発明においては、複数のＡＶ装置を接続し、又は一のＡＶ装置に他のＡＶ装置を内蔵させて映像表示システムを構成する場合に、各ＡＶ装置のＯＳＤ信号処理装置により生成されるＯＳＤの属性が異なるようにすることができる。従って、映像の表示画面において、ＯＳＤ及びＯＳＤに基づく画像が良好に視認される。
【００３２】
本発明に係る映像表示システムは、前述の複数のＯＳＤ信号処理装置と、映像、ＯＳＤ、及びＯＳＤに基づく画像を表示する表示部を有するテレビジョン受像機と、１又は複数のＡＶ装置とを備え、前記ＯＳＤ信号処理装置は前記テレビジョン受像機及びＡＶ装置に各別に内蔵され、各ＯＳＤ信号処理装置が生成したＯＳＤ信号を前記表示部へ出力するように構成されていることを特徴とする。
【００３３】
本発明においては、テレビジョン受像機及びＡＶ装置の各ＯＳＤの属性が異なるように各ＯＳＤ信号が生成される。従って、映像の表示画面において、ＯＳＤ及びＯＳＤに基づく画像が良好に視認される。
各ＯＳＤの表示位置を異ならせることで、ＯＳＤ及びＯＳＤに基づく画像が重ならないようにすることができる。また、各ＯＳＤの色を異ならせた場合、又は各ＯＳＤに補助ＯＳＤが付加される場合は、ＯＳＤ及びＯＳＤに基づく画像が良好に識別され得る。
【００３４】
本発明に係る映像表示システムは、前記ＡＶ装置は前記テレビジョン受像機に内蔵されていることを特徴とする。
【００３５】
本発明によれば、ＡＶ装置をテレビジョン受像機に内蔵し、利便性を高めた映像表示システムにおいて、ＡＶ装置及びテレビジョン受像機の各ＯＳＤの属性が異なる状態で、各ＯＳＤ信号が生成される。従って、ＡＶ装置とテレビジョン受像機とが別会社で製造される場合等においても、ＯＳＤ及びＯＳＤに基づく画像が重ならないようにすることができ、確実にＡＶ装置の操作等を行うことができる。
【００３６】
本発明に係るＯＳＤ表示方法は、ＯＳＤの情報と該ＯＳＤの表示に関連する属性情報とに基づき生成されたＯＳＤ信号を複数のＯＳＤ信号処理装置から取得し、取得したＯＳＤ信号に基づく画像を表示装置に表示するＯＳＤ表示方法において、複数のＯＳＤ信号処理装置から各ＯＳＤの表示に関連する各属性情報を取得する情報取得ステップと、取得した各属性情報を用いて、各属性情報が一致又は近似するか否かを判定する判定ステップと、該判定ステップにより各属性情報が一致又近似すると判定した場合に、少なくとも１つの属性情報を変更する情報変更ステップと、該情報変更ステップにより変更した属性情報に基づき、ＯＳＤ信号を生成するステップとを有することを特徴とする。
【００３７】
本発明においては、ＯＳＤ信号処理装置を含む複数のＡＶ装置の各ＯＳＤの属性が異なる状態で各ＯＳＤ信号が生成される。従って、表示装置において、ＯＳＤ及びＯＳＤに基づく画像が良好に視認され、識別される。
【００３８】
本発明に係るＯＳＤ表示方法は、前記属性情報は、表示位置情報、色情報、重要度情報、及び表示のタイミング情報からなる群から選択される少なくとも１種の情報であることを特徴とする。
【００３９】
本発明においては、ＯＳＤが表示位置等において重ならないように、ＯＳＤ信号を生成することができる。従って、表示装置において、ＯＳＤ及びＯＳＤに基づく画像が良好に視認され、識別される。
【００４０】
本発明に係るＯＳＤ表示方法は、前記情報取得ステップは、各表示位置情報を取得し、前記情報変更ステップは、少なくとも１つのＯＳＤの表示位置を変位するように表示位置情報を変更すべく構成してあることを特徴とする。
【００４１】
本発明においては、各ＯＳＤの大きさを維持した状態で、ＯＳＤが重ならないように、ＯＳＤ信号を生成することができる。
【００４２】
本発明に係るＯＳＤ表示方法は、前記情報取得ステップは、各表示位置情報を取得し、前記情報変更ステップは、少なくとも１つのＯＳＤを小さくするように表示位置情報を変更すべく構成してあることを特徴とする。
【００４３】
本発明においては、配置を大きく変えず、ＯＳＤが重ならないように、ＯＳＤ信号を生成することができる。
【００４４】
本発明に係るＯＳＤ表示方法は、前記情報取得ステップは、各表示位置情報とともに各色情報を取得し、前記判定ステップは、各ＯＳＤの色が一致又は近似するか否かを判定し、前記情報変更ステップは、前記色が一致又は近似すると判定した場合に、少なくとも１つの色情報を変更するように構成してあることを特徴とする。
【００４５】
本発明においては、表示装置において、ＯＳＤ及びＯＳＤに基づく画像が良好に識別され得る。
【発明の効果】
【００４６】
本発明によれば、テレビジョン受像機、及び１又は複数のＡＶ装置等の各ＯＳＤの属性情報が異なる状態で各ＯＳＤ信号が自動的に生成される。従って、テレビジョン受像機のＯＳＤ、１又は複数のＡＶ装置等の各ＯＳＤに基づく画像が確実に、良好に視認される。
また、テレビジョン受像機のＯＳＤ、１若しくは複数のＡＶ装置等の各ＯＳＤに基づく画像の色を異ならせた場合、又は各ＯＳＤに補助ＯＳＤが付加される場合は、テレビジョン受像機のＯＳＤ、１若しくは複数のＡＶ装置等の各ＯＳＤに基づく画像が良好に識別され得る。
【図面の簡単な説明】
【００４７】
【図１】本発明の実施の形態１に係る映像表示システムのＴＶ受像機のハードウェア構成を示すブロック図である。
【図２】本発明の実施の形態１に係る映像表示システムの録画／再生装置としての第１レコーダのハードウェア構成を示すブロック図である。
【図３】本発明の実施の形態１に係るＴＶ受像機の制御部の処理手順、第１レコーダの制御部の処理手順、及び第２レコーダの制御部の処理手順を示すフローチャートである。
【図４】本発明の実施の形態１に係るＴＶ受像機の制御部の処理手順、第１レコーダの制御部の処理手順、及び第２レコーダの制御部の処理手順を示すフローチャートである。
【図５】本発明の実施の形態１に係るＴＶ受像機と第１レコーダ及び第２レコーダとの通信、並びに表示部の表示内容を示す説明図である。
【図６】本発明の実施の形態１に係るＴＶ受像機と第１レコーダ及び第２レコーダとの通信、並びに表示部の表示内容を示す説明図である。
【図７】本発明の実施の形態２に係る表示部の表示画面に、ＴＶ受像機が生成したＯＳＤ（１）と第１レコーダが生成したＯＳＤ（２）とが同時に表示されている状態を示す説明図である。
【図８】本発明の実施の形態３に係るＡＶ装置内蔵型映像表示システムとしてのＴＶ受像機のハードウェア構成を示すブロック図である。
【図９】本発明の実施の形態３に係るＡＶ装置として録画／再生装置であるＢＤレコーダ部を内蔵したＴＶ受像機のハードウェア構成を示すブロック図である。
【図１０】本発明の実施の形態３に係る録画／再生装置としてのＢＤレコーダ部のハードウェア構成を示すブロック図である。
【図１１】本発明の実施の形態３に係るＴＶ受像機の制御部の処理手順、及びＢＤレコーダ部の制御部の処理手順を示すフローチャートである。
【図１２】本発明の実施の形態３に係るＴＶ受像機の制御部の処理手順、及びＢＤレコーダ部の制御部の処理手順を示すフローチャートである。
【図１３】従来の録画／再生装置が接続されたＴＶ受像機の表示部の表示画面を示す説明図である。
【発明を実施するための形態】
【００４８】
実施の形態１．
図１は、本発明の実施の形態１に係る映像表示システム１のＴＶ受像機２のハードウェア構成を示すブロック図、図２は、映像表示システム１の録画／再生装置としての第１レコーダ３のハードウェア構成を示すブロック図である。
映像表示システム１は、ＴＶ受像機２に、ＨＤＭＩ(High-Definition Multimedia Interface)ケーブル２４，２４を介し、ＡＶ装置としての第１レコーダ３，第２レコーダ４を接続してなる。第１レコーダ３，第２レコーダ４としては、例えば、ＤＶＤレコーダ、ＢＤレコーダ等が挙げられ、映像を録画するとともに録画した映像を再生するように構成されている。
以下、ＴＶ受像機２の後述する制御部７により表示されるＯＳＤをＯＳＤ（１）といい、第１レコーダ３の後述する制御部３６により出力されるＯＳＤ信号が重畳した映像信号に基づいて表示される画像をＯＳＤ（２）という。
【００４９】
ＴＶ受像機２は、ＨＤＭＩ通信部５、ＴＶ受像機２を構成する各種のハードウェアの動作を制御する制御部７、操作部８、受信部９、リモコン１０、記憶部１１、ＯＳＤ信号生成部１２、合成部１３、アンテナ１４、チューナ１５、信号処理部１６、ＴＶ信号処理部１７、信号制御部１８、音声処理部１９、映像処理部２０、スピーカ２１、及び表示部２２を備える。そして、制御部７、操作部８、受信部９、リモコン１０、記憶部１１、ＯＳＤ信号生成部１２、及び合成部１３により第１ＯＳＤ信号処理装置２３が構成される。
【００５０】
第１レコーダ３は、記録媒体装着部３０、記録再生部３１、信号分離部３２、音声処理部３３、映像処理部３４、ＨＤＭＩ通信部３５、第１レコーダ３を構成する各種ハードウェアの動作を制御する制御部３６、操作部３７、受信部３８、リモコン３９、記憶部４０、ＯＳＤ信号生成部４１、合成部４２を備える。制御部３６、操作部３７、受信部３８、リモコン３９、記憶部４０、ＯＳＤ信号生成部４１、及び合成部４２により第２ＯＳＤ信号処理装置４３が構成される。
第２レコーダ４は、第１レコーダ３と同様の構成を有する。
【００５１】
ＴＶ受像機２のＴＶ信号処理部１７のチューナ１５は、外部からデジタルテレビジョン放送信号等のテレビジョン放送信号を受信し、受信したテレビジョン放送信号を信号処理部１６へ出力する。信号処理部１６は、Ａ／Ｄ変換、フォーマット変換、色補正、ＲＧＢ変換、ガンマ補正等の信号処理を行い、得られたＴＶ映像信号を信号制御部１８へ出力する。
【００５２】
ＴＶ受像機２の受信部９は、リモコン１０からチャンネル及び音量の切り換え等の各種の操作を行うための遠隔操作指示信号が入力される受光部を備えている。リモコン１０はユーザが操作するためのパネル部を備えており、ユーザの操作に基づいて前記遠隔操作信号が受信部９へ出力される。
【００５３】
第１レコーダ３の記録媒体装着部３０には、例えばＤＶＤディスク、ＢＤディスク等の記録媒体が装着される。受信部３８は、リモコン３９から記録媒体装着部３０に装着された記録媒体の映像の再生指示信号を受信した場合、該再生指示信号を制御部３６へ出力する。記録再生部３１は、制御部３６の制御に基づいて、前記記録媒体からレコーダ映像信号を入力する。記録再生部３１は、入力したレコーダ映像信号を信号分離部３２へ出力する。
【００５４】
信号分離部３２は、入力したレコーダ映像信号を映像信号と音声信号とに分離する。信号分離部３２は、映像信号を映像処理部３４へ、音声信号を音声処理部３３へ出力する。
【００５５】
映像処理部３４は、映像信号をＨＤＭＩ信号に変換する。音声処理部３３は、音声信号をＨＤＭＩ信号に変換する。映像処理部３４は変換された映像信号を合成部４２へ、音声処理部３３は変換された音声信号をＨＤＭＩ通信部３５へ出力する。
【００５６】
記憶部４０には、ＯＳＤ（２）のキャラクタ情報と、第１位置情報、第１色情報、重要度情報、表示のタイミング情報、文字サイズ、フォント、及び縁取り等の属性情報とからなるＯＳＤ情報が記録されている。
第１位置情報は、ＯＳＤ（２）が表示画面上で表示される位置を示しており、ＴＶ受像機２の表示部２２の画面の水平軸をｘ軸、垂直軸をｙ軸としたときの矩形状のＯＳＤ（２）の４つの頂点の座標値で表している。ここでは、一例として、１座標値が表示部２２の表示画面の１画素に相当するものとする。
第１色情報は、ＲＧＢ(red green blue)の三原色の各輝度値で表す。８ビットの場合、各輝度値は０から２５５までの値で表される。例えば赤の場合、（２５５、０、０）となる。
【００５７】
制御部３６は、ＯＳＤ（２）の表示が要求された場合、記憶部４０から前記ＯＳＤ情報を読み出し、読み出したＯＳＤ情報をＯＳＤ信号生成部４１へ出力する。ＯＳＤ信号生成部４１は、入力されたＯＳＤ情報に基づいてＯＳＤ信号を生成する。ＯＳＤ信号生成部４１は、生成したＯＳＤ信号を合成部４２へ出力する。
合成部４２は、入力されたレコーダ映像信号とＯＳＤ信号とを合成し、得られた合成映像信号をＨＤＭＩ通信部３５へ出力する。
【００５８】
ＨＤＭＩ通信部３５及びＨＤＭＩ通信部５はＨＤＭＩ規格に準拠したインタフェースであり、上述したようにＨＤＭＩケーブル２４により接続されている。ＨＤＭＩ規格によれば、一本のケーブルで映像信号、音声信号、及び各種の制御信号を伝送することができる。ＨＤＭＩ規格のインタフェースは、複数のチャンネルを有しており、映像信号及び音声信号はＴＭＤＳ(Transition Minimized Differential Signaling)チャンネルを用いて送受信される。また、ＯＳＤ（１）及びＯＳＤ（２）の属性情報等が、ＣＥＣメッセージ（詳しくはＣＥＣメッセージの１つであるベンダーコマンドを言うが、以下、ＣＥＣメッセージという）を用いて送受信される。
【００５９】
ＨＤＭＩ通信部３５は、入力された合成映像信号及び音声信号をＴＶ受像機２のＨＤＭＩ通信部５へ出力する。
ＨＤＭＩ通信部５は、入力された合成映像信号及び音声信号を信号制御部１８へ出力する。
【００６０】
信号制御部１８は、ＨＤＭＩ通信部５から入力された合成映像信号及び音声信号、並びに前記ＴＶ映像信号（音声信号を含む）のうちのいずれかの信号を選択する。さらに、信号制御部１８は、映像信号を映像処理部２０へ、音声信号を音声処理部１９へ出力する。
音声処理部１９は、音声信号に基づく音声をスピーカ２１により再生できるように信号変換し、信号変換された音声信号をスピーカ２１へ出力する。
映像処理部２０は、映像信号に基づく映像を表示部２２により表示できるように信号変換し、信号変換された映像信号を合成部１３へ出力する。
【００６１】
記憶部１１には、記憶部４０と同様に、ＯＳＤ（１）のキャラクタ情報と、第１位置情報、第１色情報、重要度情報、表示のタイミング情報、文字サイズ、フォント、及び縁取り等の属性情報とからなるＯＳＤ情報が記録されている。
【００６２】
制御部７は、ＯＳＤ（１）の表示が要求された場合、記憶部１１から前記ＯＳＤ情報を読み出し、読み出したＯＳＤ情報をＯＳＤ信号生成部１２へ出力する。ＯＳＤ信号生成部１２は、入力されたＯＳＤ情報に基づいてＯＳＤ（１）の信号を生成する。ＯＳＤ信号生成部１２は、生成したＯＳＤ（１）の信号を合成部１３へ出力する。
【００６３】
合成部１３は、入力された映像信号とＯＳＤ（１）の信号とをスイッチング切り替えして表示部２２へ出力する。
表示部２２は、例えば液晶ディスプレイであり、液晶パネルの後側に、該液晶表示パネルを後側から照明する面光源方式のバックライト部が配され、バックライト部及び映像表示パネル間に光学シートが介装されてなる。表示部２２はプラズマディスプレイ、有機ＥＬディスプレイ等であってもよい。
【００６４】
表示部２２においてレコーダ映像が表示されている場合に、ＯＳＤ（１）及びＯＳＤ（２）の表示要求がされたとき、合成部１３に入力された前記合成映像信号とＯＳＤ（１）の信号とがスイッチング切り替えされて表示部２２へ出力されることで、ＯＳＤ（１）及びＯＳＤ（２）が表示される。本実施の形態においては、後述するＯＳＤ表示方法により、ＯＳＤ（１）とＯＳＤ（２）とが重ならない状態で表示される。
スピーカ２１は、与えられた音声信号に基づいて音声を再生する。
【００６５】
以下に、本発明の実施の形態に係るＯＳＤ表示方法（ＯＳＤの位置・色情報の設定処理）について詳述する。
図３及び図４は、ＴＶ受像機２の制御部７の処理手順、第１レコーダ３の制御部３６の処理手順、及び第２レコーダ４の制御部の処理手順を示すフローチャートである。図５及び図６は、ＴＶ受像機２と第１レコーダ３及び第２レコーダ４との通信、並びに表示部２２の表示内容を示す説明図である。以下、一例として、第１レコーダ３に装着した記録媒体から映像を再生している場合に、ＴＶ受像機２からＯＳＤ（１）を表示し、さらに第１レコーダ３からＯＳＤ（２）を表示するときについて説明する。
【００６６】
制御部７は、第１レコーダ３において再生された映像を表示中であるか否かを判定する（Ｓ１）。映像を表示中でないと判定した場合（Ｓ１：ＮＯ）、この判定を繰り返す。
制御部７は、前記映像を表示中であると判定した場合（Ｓ１：ＹＥＳ）、ＯＳＤ（１）の表示を要求されているか否かを判定する（Ｓ２）。制御部７は、例えばユーザのリモコン１０の操作によりＯＳＤ（１）の表示指示があったか否かを判定する。制御部７は、ＯＳＤ（１）の表示を要求されていないと判定した場合（Ｓ２：ＮＯ）、この判定を繰り返す。
【００６７】
制御部７は、ＯＳＤ（１）の表示を要求されたと判定した場合（Ｓ２：ＹＥＳ）、記憶部１１からＯＳＤ（１）の情報を読み出してＯＳＤ信号生成部１２へ出力する。ＯＳＤ信号生成部１２は、入力された情報に基づきＯＳＤ信号を生成して合成部１３へ出力する。
合成部１３は、映像処理部２０から入力されたレコーダ映像信号と前記ＯＳＤ信号とをスイッチング切り替えして表示部２２へ出力する。これによりＯＳＤ（１）が表示される（Ｓ３）。図５（ａ）に、表示部２２に映像２２０が表示され、該映像２２０の略中央部にＯＳＤ（１）の画像２２１が表示されている状態を示す。
【００６８】
次に、制御部７は、記憶部１１からＯＳＤ（１）の位置・色情報を読み出し、読み出した位置・色情報を、図５（ｂ）に示すように、ＨＤＭＩ通信部５を介して第１レコーダ３及び第２レコーダ４へ送信する（Ｓ４）。
【００６９】
第１レコーダ３の制御部３６は、受信したＯＳＤ（１）の位置・色情報を記憶部４０に記録する（Ｓ２１）。同様に、第２レコーダ４の制御部は、記憶部に受信したＯＳＤ（１）の位置・色情報を記憶部に記録する（Ｓ４１）。
【００７０】
第１レコーダ３の制御部３６は、ＯＳＤ（２）の表示を要求されているか否かを判定する（Ｓ２２）。ＯＳＤ（２）の表示の要求の一例として、ユーザによる録画映像の内容表示指示等が挙げられる。
【００７１】
制御部３６は、記憶部４０からＯＳＤ（２）の情報のうち、第１位置情報及び第１色情報を読み出す。そして、ＯＳＤ（１）及びＯＳＤ（２）が重なるか、並びにＯＳＤ（１）及びＯＳＤ（２）の色が一致又は近似しているか否かを判定する（Ｓ２３）。
記憶部１１には、ＯＳＤ（１）の位置情報として、上述したようにＯＳＤ（１）の四隅の座標値（ｘ1 、ｙ1 ）、（ｘ2 、ｙ1 ）、（ｘ1 、ｙ2 ）、及び（ｘ2 、ｙ2 ）が記録され、ＯＳＤ（２）の第１位置情報として、（ｘ3 、ｙ3 ）、（ｘ4 、ｙ3 ）、（ｘ3 、ｙ4 ）、及び（ｘ4 、ｙ4 ）が記録されている。順に、長方形の左上端、右上端、左下端、右下端の座標を示している。この座標に基づいてＯＳＤ（１）の位置とＯＳＤ（２）の位置とが重畳する部分があるか否かを判定する。
【００７２】
制御部３６は重なる部分があると判定した場合（Ｓ２３：ＹＥＳ）、ＯＳＤ（２）の第１位置情報を、ＯＳＤ（２）の座標をＯＳＤ（１）と重ならないように平行移動させたときの座標（ｘ5 、ｙ5 ）、（ｘ6 、ｙ5 ）、（ｘ5 、ｙ6 ）、（ｘ6 、ｙ6 ）で表される位置情報に変更する。
制御部３６は、また、ＯＳＤ（２）の大きさをＯＳＤ（１）と重ならないように小さくした場合の座標（ｘ7 、ｙ7 ）、（ｘ8 、ｙ7 ）、（ｘ7 、ｙ8 ）、（ｘ8 、ｙ8 ）で表される位置情報に変更することにしてもよい。さらに、ＯＳＤ（２）のフォントを小さくすることで、ＯＳＤ（２）を小さくすることにしてもよい。
【００７３】
さらに、制御部３６は、ＯＳＤ（１）及びＯＳＤ（２）の色が一致又は近似するか否かを判定する。ここで、両者の「色が一致する」とは、各ＲＧＢの輝度値が一致することをいい、両者の「色が近似する」とは、両者のＲＧＢの各輝度値の差が所定値の範囲内にあることをいう。
制御部２３は、両者の色が一致又は近似すると判定した場合、第１色情報をＯＳＤ（１）と異なる色に係る色情報に変更する。具体的には、ＲＧＢの輝度値を変更して、色を異ならせる。両者の色が近似していないと判定した場合は、その色を維持する。
制御部３６は、ＯＳＤ（１）及びＯＳＤ（２）が重ならない場合においても、ＯＳＤ（１）及びＯＳＤ（２）の色が一致又は近似するときには、ＯＳＤ（２）の色を変更する。
以上のようにして、ＯＳＤ（１）及びＯＳＤ（２）が重なる場合には、制御部３６はＯＳＤ（２）の位置情報を変更し、色がＯＳＤ（１）の色と一致又は近似する場合には色情報を変更し、変更した位置情報及び色情報を設定情報とする（Ｓ２４）。
【００７４】
制御部３６は、ＯＳＤ（１）とＯＳＤ（２）とが重ならず、色も一致又は近似しないと判定した場合（Ｓ２３：ＮＯ）、ＯＳＤ（２）の第１位置情報及び第１色情報を設定情報に決定する（Ｓ２５）。
そして、制御部３６は、設定した位置情報及び色情報、ＯＳＤの画像の他の情報に基づいてＯＳＤ（２）の信号をＯＳＤ信号合成部４１において生成させる（Ｓ２６）。
【００７５】
制御部３６は生成されたＯＳＤ（２）を表示させる（Ｓ２７）。制御部３６は、生成したＯＳＤ（２）の信号を合成部４２へ出力させ、合成部４２は、映像処理部３４から入力されたレコーダ映像信号とＯＳＤ（２）の信号とを合成し、得られた合成映像信号をＨＤＭＩ通信部３５へ出力する。ＴＶ受像機２において、ＨＤＭＩ通信部５から入力された合成映像信号は、信号制御部１８及び映像処理部２０を介し合成部１３へ出力される。合成部１３において、合成映像信号とＯＳＤ（１）の信号とがスイッチング切り替えされて表示部２２へ出力され、ＯＳＤ（２）が表示される。
【００７６】
制御部３６は、ＣＥＣメッセージにより、ＯＳＤ（２）の位置・色情報を制御部７へ送信する（Ｓ２８）。
図５（ｃ）に、表示部２２の表示画面上に、ＯＳＤ（１）の画像２２１とＯＳＤ（２）の画像２２２とが離隔し、色が異なる状態で表示され、第１レコーダ３からＴＶ受像機２へＯＳＤ（２）の位置・色情報が送信された状態を示す。ＯＳＤ（１）とＯＳＤ（２）とが分離しているので、ＯＳＤ（１）及びＯＳＤ（２）が良好に視認される。
【００７７】
制御部７は、ＯＳＤ（２）の位置・色情報を記憶部１１へ記録する（Ｓ５）。そして、図６（ｄ）に示すように、ＣＥＣメッセージによりＯＳＤ（２）の位置・色情報を第２レコーダ４へ送信する（Ｓ６）。
第２レコーダ４の制御部は、ＯＳＤ（２）の位置・色情報を記憶部に記録する（Ｓ４２）。
【００７８】
次に、制御部７は、ＯＳＤ（１）を消去することが可能であるか否かを判定する（Ｓ７）。ＯＳＤ（１）を消去することが可能である例として、ＯＳＤ（１）の表示開始後、所定時間が経過した場合、ユーザのリモコン１０の操作による消去指示があった場合等が挙げられる。制御部７は、ＯＳＤ（１）を消去することができないと判定した場合（Ｓ７：ＮＯ）、この判定を繰り返す。
制御部７は、ＯＳＤ（１）を消去することが可能であると判定した場合（Ｓ７：ＹＥＳ）、ＯＳＤ（１）の信号の合成部１３への出力を停止し、ＯＳＤ（１）の表示を消去する（Ｓ８）。そして、ＣＥＣメッセージにより制御部３６及び第２レコーダ４の制御部へＯＳＤ（１）を消去したという情報を送信する（Ｓ９）。図６（ｅ）に、表示部２２の表示画面からＯＳＤ（１）が消去され、ＴＶ受像機２から第１レコーダ３及び第２レコーダ４にＯＳＤ（１）を消去したという情報が送信された状態を示す。
前記情報を受信した後、制御部３６はＯＳＤ（１）の位置・色情報を記憶部４０から消去し（Ｓ２９）、第２レコーダ４の制御部はＯＳＤ（１）の位置・色情報を記憶部から消去する（Ｓ４３）。
【００７９】
次に、制御部３６は、ＯＳＤ（２）を消去することが可能であるか否かを判定する（Ｓ３０）。ＯＳＤ（２）を消去することが可能である例として、ＯＳＤ（２）の表示開始後、所定時間が経過した場合等が挙げられる。制御部３６は、ＯＳＤ（２）を消去することができないと判定した場合（Ｓ３０：ＮＯ）、この判定を繰り返す。
制御部３６は、ＯＳＤ（２）を消去することが可能であると判定した場合（Ｓ３０：ＹＥＳ）、ＯＳＤ（２）の信号の合成部４２への出力を停止し、ＯＳＤ（２）の表示を消去し（Ｓ３１）、ＣＥＣメッセージによりＯＳＤ（２）を消去したという情報を制御部７へ送信する（Ｓ３２）。
【００８０】
制御部７は前記情報を受信し、ＯＳＤ（２）の位置・色情報を記憶部１１から消去し（Ｓ１０）、図６（ｆ）に示すように、ＯＳＤ（２）が消去されたという情報を第２レコーダ４へ送信する（Ｓ１１）。
前記情報を受信した第２レコーダ４の制御部はＯＳＤ（２）の位置・色情報を記憶部から消去する（Ｓ４４）。
【００８１】
そして、制御部７は、映像の表示が終了したか否かを判定する（Ｓ１２）。映像の表示が終了していないと判定した場合（Ｓ１２：ＮＯ）、処理をステップＳ２へ戻す。
制御部７は、映像の表示が終了したと判定した場合（Ｓ１２：ＹＥＳ）、ＯＳＤの位置・色情報の設定処理を終了する。
【００８２】
本実施の形態によれば、表示部２２の表示画面でＯＳＤ（２）がＯＳＤ（１）と重ならないようにＯＳＤ（２）が生成されるので、図５（ｃ）に示すように、ＯＳＤ（１）及びＯＳＤ（２）が良好に視認される。
また、ＯＳＤ（１）とＯＳＤ（２）とで色を変えているので、ＯＳＤ（１）及びＯＳＤ（２）がＴＶ受像機２及び第１レコーダ３のいずれの装置から表示されたものであるかが容易に確認される。
【００８３】
なお、本実施の形態においては、ＴＶ受像機２に録画／再生装置であるＤＶＤレコーダ、ＢＤレコーダ等の第１レコーダ３及び第２レコーダ４が接続されている場合につき説明しているがこれに限定されるものではない。接続されるＡＶ装置は、ＶＨＳテープを録画／再生するものであってもよく、また、再生処理又は録画処理のみを実施する装置であってもよく、ＡＶアンプ、チューナ、ＳＴＢ（Set Top Box）等であってもよい。
また、ＴＶ受像機２の構成に限定されず、表示装置とＳＴＢとから構成されるものであってもよい。
そして、ＯＳＤ信号の映像信号への重畳処理は、アナログ的にもデジタル的にもなされ得る。
【００８４】
また、第１レコーダ３の制御部３６が、ＯＳＤ（１）の位置・色情報に基づきＯＳＤ（２）の位置・色情報を変更する場合につき説明しているがこれに限定されるものではない。
ＴＶ受像機２の制御部７がＯＳＤ（２）の位置・色情報を取得し、ＯＳＤ（１）の位置・色情報を変更して、ＯＳＤ（１）の表示位置及び色を変えることにしてもよい。
さらに、第１レコーダ３がＯＳＤ（２）の表示位置及び色を変えるとともに、ＴＶ受像機２がＯＳＤ（１）の表示位置及び色を変えることにしてもよい。
そして、位置情報の変更は、ＯＳＤ（２）の位置を変更し、又はＯＳＤ（２）の大きさを変更する場合に限定されるものではなく、位置と大きさの両方を変更するものであってよい。
また、制御部７及び制御部３６は、ＯＳＤ（１）及びＯＳＤ（２）の色情報は取得せず、位置情報のみを取得し、該位置情報に基づいて位置のみを変更するものであってもよい。
【００８５】
そして、本実施の形態においては、ＴＶ受像機２からＯＳＤ（１）を表示し、第１レコーダ３からＯＳＤ（２）を表示する場合に、ＯＳＤ（１）とＯＳＤ（２）とが重ならないようにＯＳＤ（２）を生成する場合について説明しているが、第２レコーダ４からＯＳＤに基づく画像（以下、ＯＳＤ（３）という）を表示する場合にも本発明のＯＳＤ表示方法を適用することができる。
表示部２２において、第２レコーダ４のレコーダ映像が表示され、ＯＳＤ（１）が表示されている場合、第２レコーダ４の制御部は、記憶部に記録されたＯＳＤ（１）の位置情報に基づいて、ＯＳＤ（１）と重ならないようにＯＳＤ（３）の信号を生成して、ＯＳＤ（３）を表示する。表示部２２において、二画面表示等により第１レコーダ３及び第２レコーダ４のレコーダ映像が表示される等して、ＯＳＤ（１）及びＯＳＤ（２）が表示されている場合、第２レコーダ４の制御部は、記憶部に記録されたＯＳＤ（１）及びＯＳＤ（２）の位置情報に基づいて、ＯＳＤ（１）及びＯＳＤ（２）と重ならないようにＯＳＤ（３）の信号を生成する。
また、本発明のＯＳＤ表示方法によれば、ＯＳＤ（１）、ＯＳＤ（２）、及びＯＳＤ（３）の位置情報に基づいて、優先度が高いＯＳＤが中央部に配されるように、ＯＳＤ（１）、ＯＳＤ（２）、及びＯＳＤ（３）の配置を変更することが可能である。このとき、属性情報として、重要度情報を取得する。
さらに、属性情報として、互いに重要度情報又は表示のタイミング情報を取得するようにし、重要度（優先度）が高いＯＳＤ又はＯＳＤに基づく画像から順に表示することも可能である。
【００８６】
実施の形態２．
本発明の実施の形態２に係る映像表示システムは、実施の形態１に係る映像表示システム１と同様の構成を有しており、ＴＶ受像機２の制御部７がＯＳＤ（１）及びＯＳＤ（２）に、各ＯＳＤを生成した装置を識別するラベル（補助ＯＳＤ）を付加する点が実施の形態１に係る映像表示システムと異なる。以下、映像表示システム１と同一部分は同一符号を付して説明する。
【００８７】
図７は、表示部２２の表示画面に、ＴＶ受像機２が生成したＯＳＤ（１）と第１レコーダ３が生成したＯＳＤ（２）とが同時に表示されている状態を示す説明図である。
表示部２２の表示画面に表示された映像２２０の上には、実施の形態１と同様にして、ＯＳＤ（２）の画像２２２がＯＳＤ（１）の画像２２１と重ならないように、位置及び色を設定されて表示されている。
そして、ＯＳＤ（１）の画像２２１には、ＯＳＤ（１）を生成した装置がＴＶ受像機２であることを示す「ＴＶ」というラベル（補助ＯＳＤ）２２３が付加されている。ＯＳＤ（２）の画像２２２には、ＯＳＤ（２）を生成した装置が「第１レコーダ３」であることを示す「第１レコーダ」というラベル２２４が付加されている。
【００８８】
ＴＶ受像機２の記憶部１１には、ＴＶ受像機２自体を識別するための「ＴＶ」、第１レコーダ３及び第２レコーダ４の各レコーダに対応する「第１レコーダ」及び「第２レコーダ」等の装置名のリストが記録されている。
【００８９】
ＴＶ受像機２の制御部７は、ＯＳＤ（１）を表示する場合に、ＯＳＤ（１）にラベルを付加する。そして、制御部７は、合成部１３に、レコーダ映像信号にＯＳＤ（２）の信号が重畳された合成映像信号が入力された場合に、該合成映像信号と、ＯＳＤ（１）及び該ＯＳＤ（１）のラベルの信号とをスイッチング切り替えして、表示部２２へ出力する。このとき、ＯＳＤ（２）にもラベルを付加する。以上のようにして、ＯＳＤ（１）及びＯＳＤ（２）は、それぞれラベルが付加された状態で表示される。
【００９０】
本実施の形態によれば、ＯＳＤ（１）を表示した装置がＴＶ受像機２であり、ＯＳＤ（２）を表示した装置が第１レコーダ３であることが容易に確認される。
【００９１】
なお、本実施の形態においては、記憶部１１に記録された装置名のリストに基づいて、制御部７がＯＳＤ（２）にラベルを付加する場合につき説明しているがこれに限定されるものではない。記憶部１１には、ＡＶ装置のカテゴリー（録画／再生装置、録画装置、チューナ、ＡＶアンプ等）、機種名、メーカ名、製品番号等を記録しておき、必要な情報を読み出して、ラベルに表示することにしてもよい。例えば接続されるレコーダの数が多くなる場合、ラベルに機種名、メーカ名、製品番号等の詳細な情報を追加することで、レコーダ間の区別が容易になる。
そして、ＴＶ受像機２に他の装置が接続されていない場合においては、ＯＳＤ（１）に「ＴＶ」のラベルを付加しないことにしてもよい。
【００９２】
また、ＴＶ受像機２の記憶部１１にラベルのリストを記録する場合に限定されず、制御部７が第１レコーダ３の制御部３６からＯＳＤ（２）の位置・色情報を取得した場合に、第１レコーダ３から機種名、カテゴリー等をＣＥＣメッセージで取得し、ＯＳＤ（２）に付加することにしてもよい。上述したように、記憶部１１においてラベルのリストを記録する場合には、分かりやすいラベル名を各レコーダのＯＳＤに付与することができる。
【００９３】
さらに、制御部３６がＯＳＤ信号生成部４１でＯＳＤ（２）の信号を生成するときに、同時にＯＳＤ（２）のラベルの信号を生成して合成部４２へ出力し、レコーダ映像信号に、ＯＳＤ（２）及び前記ラベルの信号を重畳して合成映像信号を合成し、ＴＶ受像機２において、該合成映像信号と、ＯＳＤ（１）及びラベルとをスイッチング切り替えして表示することで各ラベルを付加することにしてもよい。
【００９４】
実施の形態３．
図８は、本発明の実施の形態３に係るＡＶ装置内蔵型映像表示システムとしてのＴＶ受像機５０のハードウェア構成を示すブロック図である。図９は、ＡＶ装置として録画／再生装置であるＢＤレコーダ部６０を内蔵したＴＶ受像機５２のハードウェア構成を示すブロック図、図１０は、ＢＤレコーダ部６０のハードウェア構成を示すブロック図である。図中、図１及び図２と同一部分は同一符号を付して詳細な説明を省略する。そして、図９中、図８と同一部分は同一符号を付して詳細な説明を省略する。
以下、ＴＶ受像機５０又は５２の制御部５７により表示されるＯＳＤをＯＳＤ（１）といい、ＢＤレコーダ部６０の制御部６６により出力されるＯＳＤ信号が重畳した映像信号に基づいて表示される画像をＯＳＤ（２）という。
【００９５】
ＴＶ受像機５０は、外部の録画／再生装置等のＡＶ装置と通信するためのＨＤＭＩ通信部５、ＴＶ受像機５０を構成する各種のハードウェアの動作を制御する制御部５７、操作部８、受信部９、リモコン１０、第１記憶部５１、ＯＳＤ信号生成部１２、合成部１３、アンテナ１４、チューナ１５、信号処理部１６、ＴＶ信号処理部１７、信号制御部５８、音声処理部１９、映像処理部２０、スピーカ２１、表示部２２、及びＡＶ装置５９を備える。ＡＶ装置５９としては、再生装置、録画装置、録画／再生装置、チューナ、ＡＶアンプ、ＳＴＢ等が挙げられる。
ＡＶ装置５９は、信号制御部５８とＨＤＭＩ接続されている。また、ＡＶ装置５９は、ＵＡＲＴ（Universal Asynchronous Receiver-Transmitter）、ＵＳＡＲＴ（Universal Synchronous and Asynchronous Receiver-Transmitter）等のインターフェースにより信号制御部５８と接続することにしてもよい。
そして、制御部５７、操作部８、受信部９、リモコン１０、第１記憶部５１、ＯＳＤ信号生成部１２、及び合成部１３により第１ＯＳＤ信号処理装置５３が構成される。
【００９６】
ＡＶ装置５９がＢＤレコーダ部６０である場合、ＴＶ受像機５２は、本体（図示せず）の一側面に、スロットインタイプのディスク挿入口を有しており、このディスク挿入口からＢＤがＢＤレコーダ部６０内に挿入されたときに、ＢＤモードに移行して、ＢＤレコーダ部６０の電源をオンにするように構成されている。ＢＤレコーダ部６０には、ＤＶＤも挿入できるように構成されている。
【００９７】
ＢＤレコーダ部６０は、記録媒体装着部３０、記録再生部３１、信号分離部３２、ＢＤレコーダ部６０を構成する各種ハードウェアの動作を制御する制御部６６、第２記憶部６１、ＯＳＤ信号生成部４１、及び合成部４２を備える。制御部６６、第２記憶部６１、ＯＳＤ信号生成部４１、及び合成部４２により第２ＯＳＤ信号処理装置６３が構成される。
【００９８】
ＢＤレコーダ部６０の記録媒体装着部３０には、上述したように、ＤＶＤディスク、ＢＤディスク等の記録媒体が装着される。受信部９が、リモコン１０から記録媒体装着部３０に装着された記録媒体の映像の再生指示信号を受信した場合、該再生指示信号を制御部５７へ出力する。制御部５７は前記再生指示信号をＢＤレコーダ部６０の制御部６６へ出力する。記録再生部３１は、制御部６６の制御に基づいて、前記記録媒体からレコーダ映像信号を入力する。記録再生部３１は、入力したレコーダ映像信号を信号分離部３２へ出力する。
【００９９】
信号分離部３２は、入力したレコーダ映像信号を映像信号と音声信号とに分離する。信号分離部３２は、音声信号を信号制御部５８へ、映像信号を合成部４２へ出力する。
【０１００】
第２記憶部６１には、ＯＳＤ（２）のキャラクタ情報と、第１位置情報、第１色情報、重要度情報、表示のタイミング情報、文字サイズ、フォント、及び縁取り等の属性情報とからなるＯＳＤ情報が記録されている。
第１位置情報は、ＯＳＤ信号に基づくＯＳＤ（２）が表示画面上で表示される位置を示しており、ＴＶ受像機２の表示部２２の画面の水平軸をｘ軸、垂直軸をｙ軸としたときの矩形状のＯＳＤ（２）の４つの頂点の座標値で表している。ここでは、１座標値が表示部２２の表示画面の１画素に相当するものとする。
色情報は、ＲＧＢ(red green blue)の三原色の各輝度値で表す。８ビットの場合、各輝度値は０から２５５までの値で表される。例えば赤の場合、（２５５、０、０）となる。
【０１０１】
制御部６６は、ＯＳＤ（２）の表示が要求された場合、第１記憶部６１から前記ＯＳＤ情報を読み出し、読み出したＯＳＤ情報をＯＳＤ信号生成部４１へ出力する。ＯＳＤ信号生成部４１は、入力されたＯＳＤ情報に基づき、ＯＳＤ信号を生成する。ＯＳＤ信号生成部４１は、生成したＯＳＤ信号を合成部４２へ出力する。
合成部４２は、入力されたレコーダ映像信号とＯＳＤ信号とを合成し、得られた合成映像信号を信号制御部５８へ出力する。
【０１０２】
信号制御部５８は、前記合成映像信号及びＴＶ映像信号のうちのいずれかの信号を選択し、選択した信号を映像信号と音声信号とに分離する。さらに、信号制御部５８は、分離した映像信号を映像処理部２０へ、分離した音声信号を音声処理部１９へ出力する。
音声処理部１９は、音声信号を信号変換し、信号変換された音声信号をスピーカ２１へ出力する。
映像処理部２０は、映像信号を信号変換し、信号変換された映像信号を合成部１３へ出力する。
【０１０３】
第１記憶部５１には、第２記憶部６１と同様に、ＯＳＤ（１）のキャラクタ情報と、第１位置情報、第１色情報、重要度情報、表示のタイミング情報、文字サイズ、フォント、及び縁取り等の属性情報とからなるＯＳＤ情報が記録されている。
【０１０４】
制御部５７は、ＯＳＤ（１）の表示が要求された場合、第１記憶部５１から前記ＯＳＤ情報を読み出し、読み出したＯＳＤ情報をＯＳＤ信号生成部１２へ出力する。ＯＳＤ信号生成部１２は、入力されたＯＳＤ情報に基づき、ＯＳＤ（１）の信号を生成する。ＯＳＤ信号生成部１２は、生成したＯＳＤ（１）の信号を合成部１３へ出力する。
【０１０５】
合成部１３は、入力された映像信号とＯＳＤ（１）の信号とをスイッチング切り替えして、表示部２２へ出力する。
表示部２２は、例えば液晶ディスプレイ、プラズマディスプレイ、有機ＥＬディスプレイ等のディスプレイである。
表示部２２においてレコーダ映像が表示されている場合に、ＯＳＤ（１）及びＯＳＤ（２）の表示要求がされたとき、合成部１３に入力された前記合成映像信号とＯＳＤ（１）の信号とがスイッチング切り替えされて表示部２２へ出力されることで、ＯＳＤ（１）及びＯＳＤ（２）が表示される。本実施の形態においては、後述するＯＳＤ表示方法により、ＯＳＤ（１）とＯＳＤ（２）とが重ならない状態で表示される。
スピーカ２１は、与えられた音声信号に基づいて音声を再生する。
【０１０６】
以下に、本実施の形態に係るＯＳＤ表示方法（ＯＳＤの位置・色情報の設定方法）について詳述する。
図１１及び図１２は、ＴＶ受像機５２の制御部５７の処理手順、及びＢＤレコーダ部６０の制御部６６の処理手順を示すフローチャートである。以下、一例として、ＢＤレコーダ部６０に装着した記録媒体から映像を再生している場合に、制御部５７からＯＳＤ（１）を表示し、さらに制御部６６からＯＳＤ（２）を表示するときについて説明する。
【０１０７】
制御部５７は、ＢＤレコーダ部６０において再生された映像を表示中であるか否かを判定する（Ｓ５１）。映像を表示中でないと判定した場合（Ｓ５１：ＮＯ）、この判定を繰り返す。
制御部５７は、前記映像を表示中であると判定した場合（Ｓ５１：ＹＥＳ）、ＯＳＤ（１）の表示を要求されているか否かを判定する（Ｓ５２）。制御部５７は、例えばユーザのリモコン１０の操作により、ＯＳＤ（１）の表示指示等があったか否かを判定する。制御部５７は、ＯＳＤ（１）の表示を要求されていないと判定した場合（Ｓ５２：ＮＯ）、この判定を繰り返す。
【０１０８】
制御部５７は、ＯＳＤ（１）の表示を要求されたと判定した場合（Ｓ５２：ＹＥＳ）、第１記憶部５１からＯＳＤ（１）の情報を読み出してＯＳＤ信号生成部１２へ出力する。ＯＳＤ信号生成部１２は、入力した情報に基づきＯＳＤ信号を生成して合成部１３へ出力する。
合成部１３は、映像処理部２０から入力されたレコーダ映像信号と前記ＯＳＤ信号とをスイッチング切り替えして表示部２２へ出力する。これによりＯＳＤ（１）が表示される（Ｓ５３）。
【０１０９】
次に、制御部５７は、第１記憶部５１からＯＳＤ（１）の位置・色情報を読み出し、読み出した位置・色情報をＢＤレコーダ部６０の制御部６６へ送信する（Ｓ５４）。
【０１１０】
ＢＤレコーダ部６０の制御部６６は、受信したＯＳＤ（１）の位置・色情報を第２記憶部６１に記録する（Ｓ７１）。
【０１１１】
ＢＤレコーダ部６０の制御部６６は、ＯＳＤ（２）の表示を要求されているか否かを判定する（Ｓ７２）。ＯＳＤ（２）の表示の要求の一例として、ユーザによる録画映像の内容表示指示等が挙げられる。
【０１１２】
制御部６６は、第２記憶部４０からＯＳＤ（２）の画像情報のうち、第１位置情報及び第１色情報を読み出す。そして、ＯＳＤ（１）及びＯＳＤ（２）が重なるか、並びにＯＳＤ（１）及びＯＳＤ（２）の色が一致又は近似しているか否かを判定する（Ｓ７３）。
第２記憶部６１には、ＯＳＤ（１）の第１位置情報として、ＯＳＤ（１）の四隅の座標値（ｘ1 、ｙ1 ）、（ｘ2 、ｙ1 ）、（ｘ1 、ｙ2 ）、及び（ｘ2 、ｙ2 ）が記録され、ＯＳＤ（２）の第１位置情報として、（ｘ3 、ｙ3 ）、（ｘ4 、ｙ3 ）、（ｘ3 、ｙ4 ）、及び（ｘ4 、ｙ4 ）が記録されている。順に、長方形の左上端、右上端、左下端、右下端の座標を示している。この座標に基づいてＯＳＤ（１）の位置とＯＳＤ（２）の位置とが重畳する部分があるか否かを判定する。
【０１１３】
制御部６６は重なる部分があると判定した場合（Ｓ７３：ＹＥＳ）、第１位置情報を、ＯＳＤ（２）の座標をＯＳＤ（１）と重ならないように平行移動させた座標（ｘ5 、ｙ5 ）、（ｘ6 、ｙ5 ）、（ｘ5 、ｙ6 ）、（ｘ6 、ｙ6 ）で表される位置情報に変更する。
制御部６６は、また、ＯＳＤ（２）の大きさをＯＳＤ（１）と重ならないように小さくした場合の座標（ｘ7 、ｙ7 ）、（ｘ8 、ｙ7 ）、（ｘ7 、ｙ8 ）、（ｘ8 、ｙ8 ）で表される位置情報に変更することにしてもよい。
【０１１４】
さらに、制御部６６は、ＯＳＤ（１）及びＯＳＤ（２）の色が一致又は近似するか否かを判定する。制御部６６は、両者の色が一致又は近似すると判定した場合、ＯＳＤ（２）の第１色情報をＯＳＤ（１）と異なる色に係る色情報に変更する。具体的には、ＲＧＢの輝度値を変更して、色を異ならせる。
制御部６６は、ＯＳＤ（１）及びＯＳＤ（２）が重ならない場合においても、ＯＳＤ（１）及びＯＳＤ（２）の色が一致又は近似するときに、ＯＳＤ（２）の色を変更する。
以上のようにして、制御部３６は、ＯＳＤ（１）及びＯＳＤ（２）が重なる場合にはＯＳＤ（２）の位置情報を変更し、色がＯＳＤ（１）の色と一致又は近似する場合には色情報を変更し、変更した位置情報及び色情報を設定情報とする（Ｓ７４）。
【０１１５】
制御部６６は、ＯＳＤ（１）とＯＳＤ（２）とが重ならず、かつ色も一致又は近似しないと判定した場合（Ｓ７３：ＮＯ）、ＯＳＤ（２）の第１位置情報及び第１色情報を設定情報に決定する（Ｓ７５）。
そして、制御部６６は、設定した位置情報及び色情報、ＯＳＤ（２）の他の画像情報に基づいてＯＳＤ（２）の信号をＯＳＤ信号合成部４１において生成させる（Ｓ７６）。
【０１１６】
制御部６６は生成されたＯＳＤ（２）を表示させる（Ｓ７７）。制御部６６は、生成したＯＳＤ（２）の信号を合成部４２へ出力させ、合成部４２は、入力されたレコーダ映像信号とＯＳＤ（２）の信号とを合成し、得られた合成映像信号を信号制御部５８へ出力する。
そして、合成映像信号は、映像処理部２０を介し合成部１３へ出力される。合成部１３において、合成映像信号とＯＳＤ（１）の信号とがスイッチング切り替えされて表示部２２へ出力され、ＯＳＤ（２）が表示される。
【０１１７】
制御部６６は、ＯＳＤ（２）の位置・色情報を制御部５７へ送信する（Ｓ７８）。
制御部５７は、ＯＳＤ（２）の位置・色情報を第１記憶部５１へ記録する（Ｓ５５）。
【０１１８】
次に、制御部５７は、ＯＳＤ（１）を消去することが可能であるか否かを判定する（Ｓ５６）。ＯＳＤ（１）を消去することが可能である例として、ＯＳＤ（１）の表示開始後、所定時間が経過した場合、ユーザのリモコン１０の操作による消去指示があった場合等が挙げられる。制御部５７は、ＯＳＤ（１）を消去することができないと判定した場合（Ｓ５６：ＮＯ）、この判定を繰り返す。
制御部５７は、ＯＳＤ（１）を消去することが可能であると判定した場合（Ｓ５６：ＹＥＳ）、ＯＳＤ（１）の信号の合成部１２への出力を停止し、ＯＳＤ（１）の表示を消去し（Ｓ５７）、制御部６６へＯＳＤ（１）を消去したという情報を送信する（Ｓ５８）。
【０１１９】
前記情報を受信した後、制御部６６はＯＳＤ（１）の位置・色情報を第２記憶部６１から消去する（Ｓ７９）。
【０１２０】
次に、制御部６６は、ＯＳＤ（２）を消去することが可能であるか否かを判定する（Ｓ８０）。ＯＳＤ（２）を消去することが可能である例として、ＯＳＤ（２）の表示開始後、所定時間が経過した場合等が挙げられる。制御部６６は、ＯＳＤ（２）を消去することができないと判定した場合（Ｓ８０：ＮＯ）、この判定を繰り返す。
制御部６６は、ＯＳＤ（２）を消去することが可能であると判定した場合（Ｓ８０：ＹＥＳ）、ＯＳＤ（２）の信号の合成部４２への出力を停止し、ＯＳＤ（２）の表示を消去し（Ｓ８１）、ＯＳＤ（２）を消去したという情報を制御部５７へ送信する（Ｓ８２）。
【０１２１】
制御部５７は前記情報を受信し、ＯＳＤ（２）の位置・色情報を第１記憶部５１から消去する（Ｓ５９）。
【０１２２】
制御部５７は、映像の表示が終了したか否かを判定する（Ｓ６０）。映像の表示が終了していないと判定した場合（Ｓ６０：ＮＯ）、処理をステップＳ５２へ戻す。
制御部７は、映像の表示が終了したと判定した場合（Ｓ６０：ＹＥＳ）、ＯＳＤの位置・色情報の設定処理を終了する。
【０１２３】
本実施の形態によれば、表示部２２の表示画面でＯＳＤ（２）がＯＳＤ（１）と重ならないようにＯＳＤ（２）が生成されるので、ＯＳＤ（１）及びＯＳＤ（２）が良好に視認される。
また、ＯＳＤ（１）とＯＳＤ（２）とで色を変えているので、ＯＳＤ（１）及びＯＳＤ（２）がＴＶ受像機５２本体及びＢＤレコーダ部６０のいずれの側から表示されたものであるかが容易に確認される。
【０１２４】
なお、本発明の実施においては、ＡＶ装置５９の一例としてＢＤレコーダ部６０を内蔵した場合につき説明しているがこれに限定されるものではなく、ＡＶ装置５９は、ＤＶＤ、ＶＨＳテープ、及びＨＤＤ等に録画し、再生する装置を内蔵するものであってもよく、また、再生処理又は録画処理のみを実施する装置であってもよく、ＡＶアンプ、チューナ、ＳＴＢ等であってもよい。例えばＡＶ装置５９がデジタルチューナである場合、デジタル放送を受信するために、デジタルチューナが生成するＯＳＤに基づく画像による操作等を要するが、本発明のＯＳＤ表示方法を適用することにより、ＴＶ受像機５０が生成するＯＳＤと重ならないように表示することができるので、確実に前記操作等を行うことができる。このデジタルチューナは、基板に回路を実装して構成されたチューナユニットであってもよい。
【０１２５】
また、ＴＶ受像機５２の制御部５７からＯＳＤ（１）を表示し、ＢＤレコーダ部６０からＯＳＤ（２）を表示する場合に、ＯＳＤ（１）とＯＳＤ（２）とが重ならないようにＯＳＤ（２）を生成する方法について説明しているが、これに限定されるものではない。ＴＶ受像機５２が複数のＡＶ装置を備える場合、又はＨＤＭＩ接続により複数の外部のＡＶ装置がＴＶ受像機５２に接続されている場合に、本発明に係るＯＳＤ表示方法を適用して、ＯＳＤ（１）、及び各ＡＶ装置の制御部において生成されるＯＳＤに基づく画像が重ならないようにＯＳＤの表示位置等を変更することができる。
そして、ＯＳＤ、及びＯＳＤに基づく画像に各ＯＳＤの生成元を表示するラベルを付加することにしてもてよい。
【０１２６】
さらに、前記実施の形態１乃至３においては、ＡＶ装置からの映像が表示部２２において表示されている場合に、ＯＳＤ、及びＯＳＤに基づく画像を表示するときについて説明しているが、これに限定されるものではない。例えば、表示部２２の表示画面において、ＴＶ映像信号に基づく映像とレコーダ映像信号に基づく映像とが二画面で表示されている場合で、各画面にＯＳＤ、ＯＳＤに基づく画像が表示されるときに、ＯＳＤとＯＳＤに基づく画像とが重ならないように、本発明のＯＳＤ表示方法によりＯＳＤに基づく画像の表示位置等を変更することが可能である。
【０１２７】
そして、ＴＶ受像機２，５０，５２の合成部１３において、入力した映像信号とＯＳＤ信号とをスイッチング切り替えして表示部２２へ出力する場合につき説明しているがこれに限定されるものではなく、他の方式により映像信号にＯＳＤ信号を重畳するように構成されたものであってもよい。他の方式としては、例えば、映像信号とＯＳＤ信号とを一定の比率で加算するものであってもよい。
【０１２８】
また、ＴＶ受像機２，５０，５２がＨＤＭＩ通信部５を有する場合に限定されるものではなく、ＴＶ受像機２，５０，５２は、他のマルチメディアインタフェースによりＡＶ装置と接続することにしてもよい。
【０１２９】
さらに、ＯＳＤ信号処理装置が生成したＯＳＤ信号を映像信号に重畳して表示部に出力する場合に限定されるものではなく、本発明のＯＳＤ表示方法は、一のＡＶ装置が他のＡＶ装置へ属性情報を含むＯＳＤ情報をＣＥＣメッセージにより与えるようにし、他のＡＶ装置が一のＡＶ装置のＯＳＤに基づく画像を映像と合成するように構成されている場合にも適用することができる。この場合、他のＡＶ装置が前記画像と自機のＯＳＤに基づく画像とが表示位置等において重ならないようにＯＳＤ信号を生成する。
【符号の説明】
【０１３０】
１  映像表示システム
２、５０、５２  ＴＶ受像機
３  第１レコーダ
４  第２レコーダ
５、３５  ＨＤＭＩ通信部
７、３６、５７、６６  制御部
８、３７  操作部
９、３８  受信部
１０、３９  リモコン
１１、４０  記憶部
１２、４１  ＯＳＤ信号生成部
１３、４２  合成部
１４  アンテナ
１５  チューナ
１６  信号処理部
１７  ＴＶ信号処理部
１８、５８  信号制御部
１９  音声処理部
２０  映像処理部
２１  スピーカ
２２  表示部
２３、５３  第１ＯＳＤ信号処理装置
３０  記録媒体装着部
３１  記録再生部
３２  信号分離部
３３  音声処理部
３４  映像処理部
４３、６３  第２ＯＳＤ信号処理装置
５１  第１記憶部
５９  ＡＶ装置
６０  ＢＤレコーダ部
６１  第２記憶部
【図１】
2010164901.tif 000003
【図２】
2010164901.tif 000004
【図３】
2010164901.tif 000005
【図４】
2010164901.tif 000006
【図５】
2010164901.tif 000007
【図６】
2010164901.tif 000008
【図７】
2010164901.tif 000009
【図８】
2010164901.tif 000010
【図９】
2010164901.tif 000011
【図１０】
2010164901.tif 000012
【図１１】
2010164901.tif 000013
【図１２】
2010164901.tif 000014
【図１３】
2010164901.tif 000015